(57)【特許請求の範囲】
【請求項１】
外周面に植毛を備えたブラシ軸、同ブラシ軸に連結して軸方向に変位するスライド軸、同スライド軸に連結された可逆転駆動機構、並びに前記ブラシ軸及び前記スライド軸を通る中空通路を備え前記ブラシ軸の先端に開口すると共に吸引装置に連絡した吸引回収機構を有し、前記植毛は被清掃ねじ穴のねじ溝に対応して断続して配設され、前記スライド軸は当該スライド軸を後進方向に偏倚させるコイルばねを備えていることを特徴とするねじ穴の清掃装置。
【発明の詳細な説明】
【０００１】
【発明の属する技術分野】
本発明は、物体の表面に付着した異物等を機械的に除去して清浄にする清掃装置に関し、特にねじ穴の内部を清掃する装置に関する。
【０００２】
【従来の技術】
ケーシングのフランジ等に設けられる締め付けボルト或いはスタッド用ねじ穴は、異物が入って付着し易く、その異物やねじ面に発生した錆、スケール等は除去し難いので、これらの除去、清掃を能率良く行う清掃装置が提案されている。その一例（実公昭６０−２０４７０号）を図３に示すが、清掃装置は複数の吸引口１を備えた円筒軸３の外面に螺旋状に植毛５を配設して構成した回転ブラシを有する。そしてねじ穴内に挿入したこの回転ブラシを歯車列７を介してモータ９により回転駆動し、植毛５で掻き落とした異物、錆等を吸引口１を通して真空吸引して回収する。更にこのような清掃装置の異物回収性能を改良するものとして図４及び図５に示す清掃装置も提案されている（実公昭６０−２０４７１号）。この改良形清掃装置では、回転ブラシを構成する円筒軸が複数の分割弧状部材１１から構成され、外面に植毛１３を有するこの分割弧状部材１１がリンク１５の機能により半径方向に拡張乃至収縮できる。このようにすると、回転ブラシをねじ穴の内部に挿入し或いは引き出すときには回転ブラシの外径を小さくしてねじ面に触れないようにし、清掃操作のときのみ回転ブラシの外径を大きくして植毛１３をねじ面に接触させることが可能となる。従って、清掃時に植毛１３に付着してそのまま残っている異物乃至錆が回転ブラシをねじ穴から引き抜くとき脱落しないので、回収し残しの異物を無くせる。
【０００３】
【発明が解決しようとする課題】
然るに前述のような清掃装置においては、回転ブラシを一方向に回転するだけであるので、ねじ穴の深さだけの軸長の回転ブラシを必要とし、装置全体が大きくなり過ぎる嫌いがあった。そして剥離すべき異物に常に同じ方向の力を加えるので剥離効率もあまり良くなかった。
したがって、本発明は装置が小形であり、深さの異なる種々のねじ穴の清掃に使用可能であると共にねじ面の異物の剥離効率の良いねじ穴の清掃装置を提供することを課題とする。
【０００４】
【課題を解決するための手段】
如上の課題を解決するため、本発明によれば、ねじ穴の清掃装置は、外周面に植毛を備えたブラシ軸、このブラシ軸に連結して軸方向に変位自在のスライド軸、このスライド軸に連結された可逆転駆動機構、並びに前記ブラシ軸及び前記スライド軸を通る中空通路を備えブラシ軸の先端に開口すると共に吸引装置に連絡した吸引回収機構から構成され、その植毛は被清掃ねじ穴のねじ溝に対応して断続して配設され、前記スライド軸は当該スライド軸を後進方向に偏倚させるコイルばねを備えた構成である。
【０００５】
【発明の実施の形態】
以下添付の図面を参照して本発明の実施形態を説明する。図１を参照するに清掃装置２０のエアモータ２１は可逆転式であり、上部ケーシング２３にフランジ結合されている。上部ケーシング２３は、吸引ブロック２５及び下部ケーシング２７と連結ボルト２９により締結されており、全体として組立形のケーシングを形成している。エアモータ２１の出力軸は、球軸受を介して上部ケーシング２３に支持された継手３１により回転軸３３と連結されている。この回転軸３３に整列したスライド軸３５は、吸引ブロック２５に回転自在に支持され、更にキー３７により回転軸３３に連結されている。キー３７に沿って軸方向に変位即ち前後進可能であるスライド軸３５は、コイルばね３９により後進方向に偏倚されていて、外周面に嵌着されたストッパ４１がストロークｓの前進の後下部ケーシング２７の停止壁に当接する。このスライド軸３５の先端には、図２に示すような回転ブラシのブラシ軸４３が嵌着されていて、ブラシ軸４３の外周面にはねじ穴Ａのねじ溝に対応して植毛４５が配設されている。図２において植毛４５の軸方向間隔は、ねじの３ピッチに対応しており、これは円周方向には所定の間隔をおいている。このようにすると、植毛４５はねじ穴Ａのねじに螺合した形となり、ブラシ軸４３を回転すると、植毛４５はねじ溝に沿う螺旋軌跡を描いて回転し、前後進する。即ちスライド軸３５が回転しつつ前進し、ストッパ４１が当接したらその場で回転する。
【０００６】
再び図１を参照するに、スライド軸３５内には中空の真空軸４７が挿着されていて、ブラシ軸４３の先端に開口する中空通路４９を画成している。この中空通路４９は、吸引ブロック２５の内部空間に連通し、図示しないホース及び配管を介して集塵機５１に連絡している。更にこのような清掃装置２０の被清掃ねじ穴への取り付けを便ならしめるため、ガイドピン５３付のガイド板５５が下部ケーシング２７に固定されている。
【０００７】
以上のような構成の清掃装置２０を用いてねじ穴を清掃するには、先ず被清掃ねじ穴にブラシ軸４３を挿入すると共に隣接する別のねじ穴にガイドピン５３を挿入して清掃装置２０を固定する。ガイドピン５３は清掃時の回転トルクを支持する機能も有する。そしてエアモータ２１により回転軸３３及びスライド軸３５を介してブラシ軸４３を回転すると、植毛４５はねじ溝に沿って回転するからブラシ軸４３及びスライド軸３５がボルトの如く回転しつつ前進し、ストッパ４１が当接するまでねじ穴Ａの奥に向かって前進する。そして前進がストッパ４１により阻止されると、ブラシ軸４３及び植毛４５はその場で回転をし、植毛４５はねじ面のねじ山を乗り越えて回転する。そしてエアモータ２１がタイマの設定により逆方向の回転に移れば、ブラシ軸４３はねじ穴から抜ける方向に後進する。このようにすると、ブラシ軸４３の植毛４５は、ねじ穴Ａのねじ溝を往復し、その際表面の異物や錆を擦って剥離し、除去する。そして剥離した異物等は、集塵機５１で発生される負圧により中空通路４９に吸い込まれて集塵機５１に運ばれ、そこで除去回収される。
【０００８】
【発明の効果】
以上説明したように、本発明によれば可逆転駆動機構によりブラシ軸を回転するので、ブラシ軸の植毛が被清掃ねじ穴のねじ溝内を往復動し、ねじ表面を漏れ無く擦り、異物を効率的に剥離し除去することができる。又ブラシ軸は、往復動するのでねじ穴の全深さに比し短くて良く、装置全体をコンパクトに構成することができる。
【図面の簡単な説明】
【図１】本発明の実施形態を示す立面図である。
【図２】図１の部分拡大図である。
【図３】従来装置の一例を示す立断面図である。
【図４】従来装置の別の一例を示す立断面図である。
【図５】図４の平断面図である。
【符号の説明】
２０  清掃装置
２１  エアモータ
２３  上部ケーシング
２５  吸引ブロック
２７  下部ケーシング
２９  連結ボルト
３１  継手
３３  回転軸
３５  スライド軸
３７  キー
３９  コイルばね
４１  ストッパ
４３  ブラシ軸
４５  植毛
４７  真空軸
４９  中空通路
５１  集塵機
５３  ガイドピン
５５  ガイド板
【図１】
0003771630.tif 000002
【図２】
0003771630.tif 000003
【図３】
0003771630.tif 000004
【図４】
0003771630.tif 000005
【図５】
0003771630.tif 000006